【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
少なくとも一台のランドリー機器(102)が設置されたランドリー店舗用のマネー複合処理装置(166)と、撮像装置(298)を備える利用者端末機(124)と、二次元コード決済サーバー(118)と、電子マネーカード(150)によって構成される、ランドリー用二次元コード決済システムであって、
前記マネー複合処理装置(166)は、
少なくとも、前記ランドリー機器(102)の料金情報(LFI)を設定するランドリー機器料金設定装置(234)と、
前記電子マネーカード(150)を新たに発行する電子マネーカード発行装置(176)と、
発行された前記電子マネーカード(150)に指定された金額情報(CMI)に基づく電子マネー情報(EMI)をチャージする電子マネーチャージ装置(178)と、
前記料金情報(LFI)又は前記金額情報(CMI)を二次元コード(TDC)に変換する二次元コード変換装置(242)と、
前記二次元コード(TDC)を表示する表示装置(170)を含み、
前記利用者端末機(124)は、
前記撮像装置(298)によって撮像した前記二次元コード(TDC)を演算可能な二次元コード演算情報(TOI)に変換するコード解析装置(314)と、
前記二次元コード演算情報(TOI)を前記二次元コード決済サーバー(118)へ送信する利用者端末機通信装置(306)を含み、
前記二次元コード決済サーバー(118)において、前記二次元コード演算情報(TOI)に基づいて、前記料金情報(LFI)又は前記金額情報(CMI)に相当する金額を支払元(PYS)から支払先(PYE)へ支払う決済処理(SET)を行った後、前記利用者端末機(124)及び前記マネー複合処理装置(166)に対し決済完了情報(PCI)を送信し、
前記利用者端末機(124)は、前記決済完了情報(PCI)に基づいて決済完了表示を行い、
前記マネー複合処理装置(166)は、前記二次元コード決済サーバー(118)からの前記決済完了情報(PCI)に基づいて、前記ランドリー機器(102)に対し、起動信号(STS)を出力し、又は前記金額情報(CMI)を前記電子マネーカード(150)に記録されている電子マネー情報(EMI)に加算して記録する
ことを特徴とするランドリー用二次元コード決済システム。
【請求項２】
少なくとも一台のランドリー機器(102)が設置されたランドリー店舗用のマネー複合処理装置(166)と、撮像装置(298)を備える利用者端末機(124)と、二次元コード決済サーバー(118)と、電子マネーカード(150)によって構成される、ランドリー用二次元コード決済システムであって、
前記マネー複合処理装置(166)は、
少なくとも、前記ランドリー機器(102)の料金情報(LFI)を設定するランドリー機器料金設定装置(234)と、
前記電子マネーカード(150)を新たに発行する電子マネーカード発行装置(176)と、
発行された前記電子マネーカード(150)に指定された金額情報(CMI)に基づく電子マネー情報(EMI)をチャージする電子マネーチャージ装置(178)と、
前記電子マネーカード発行装置(176)又は前記電子マネーチャージ装置(178)と一体となって前記電子マネーカード(150)に電子マネー情報(EMI)を読書するための読書装置(226)と、
少なくとも、前記二次元コード決済サーバー(118)へ送信する料金情報(LFI)又は前記金額情報(CMI)を二次元コード(TDC)に変換する二次元コード変換装置(242)と、
前記二次元コード(TDC)を表示する表示装置(170)を含み、
前記利用者端末機(124)は、
前記撮像装置(298)によって撮像した前記二次元コード(TDC)を演算可能な二次元コード演算情報(TOI)に変換するコード解析装置(314)と、
前記二次元コード演算情報(TOI)を前記二次元コード決済サーバー(118)へ送信する利用者端末機通信装置(306)を含み、
前記二次元コード決済サーバー(118)において、前記二次元コード演算情報(TOI)に基づいて、前記料金情報(LFI)又は前記金額情報(CMI)を支払元(PYS)から支払先(PYE)へ支払う決済処理(SET)を行った後、前記利用者端末機(124)及び前記マネー複合処理装置(166)に対し決済完了情報(PCI)を送信し、
前記利用者端末機(124)は、前記決済完了情報(PCI)に基づいて決済完了表示を行い、
前記マネー複合処理装置(166)は、前記二次元コード決済サーバー(118)からの前記決済完了情報(PCI)に基づいて、前記ランドリー機器(102)に対し、起動信号(STS)を出力し、又は前記読書装置(226)によって、前記金額情報(CMI)を前記電子マネーカード(150)に記録されている電子マネー情報(EMI)に加算して記録する
ことを特徴とするランドリー用二次元コード決済システム。
【請求項３】
前記二次元コード(TDC)は、取引特定情報(TNO)を含むことを特徴とする請求項１又は２に記載のランドリー用二次元コード決済システム。
【請求項４】
前記マネー複合処理装置(166)は、前記料金情報(LFI)の設定に基づいて、前記二次元コード決済サーバー(118)に対し取引許可要求(TCR)を行い、
前記二次元コード決済サーバー(118)は、前記取引許可要求(TCR)に基づいて、前記マネー複合処理装置(166)に対し、セキュリティ情報(SCI)を送信し、
前記セキュリティ情報(SCI)は、前記二次元コード(TDC)に含められる
ことを特徴とする請求項１〜３の何れかに記載のランドリー用二次元コード決済システム。
【手続補正２】
【補正対象書類名】明細書
【補正対象項目名】０００６
【補正方法】変更
【補正の内容】
【０００６】
この目的を達成するため、請求項１に係る第１の発明は以下のように構成されている。
少なくとも一台のランドリー機器が設置されたランドリー店舗用のマネー複合処理装置と、撮像装置を備える利用者端末機と、二次元コード決済サーバーと、電子マネーカードによって構成される、ランドリー用二次元コード決済システムであって、
前記マネー複合処理装置は、
少なくとも、前記ランドリー機器の料金情報を設定するランドリー機器料金設定装置と、
前記電子マネーカードを新たに発行する電子マネーカード発行装置と、
発行された前記電子マネーカードに指定された金額情報に基づく電子マネー情報をチャージする電子マネーチャージ装置と、
前記料金情報又は前記金額情報を二次元コードに変換する二次元コード変換装置と、
前記二次元コードを表示する表示装置と、
を含み、
前記利用者端末機は、
前記撮像装置によって撮像した前記二次元コードを演算可能な二次元コード演算情報に変換するコード解析装置と、
前記二次元コード演算情報を前記二次元コード決済サーバーへ送信する利用者端末機通信装置を含み、
前記二次元コード決済サーバーにおいて、前記二次元コード演算情報に基づいて、前記料金情報又は前記金額情報に相当する金額を支払元から支払先へ支払う決済処理を行った後、前記利用者端末機及び前記マネー複合処理装置に対し決済完了情報を送信し、
前記利用者端末機は、前記決済完了情報に基づいて決済完了表示を行い、
前記マネー複合処理装置は、前記二次元コード決済サーバーからの前記決済完了情報に基づいて、前記ランドリー機器に対し、起動信号を出力し、又は前記金額情報を前記電子マネーカードに記録されている電子マネー情報に加算して記録する
ことを特徴とするランドリー用二次元コード決済システムである。
【手続補正３】
【補正対象書類名】明細書
【補正対象項目名】０００７
【補正方法】変更
【補正の内容】
【０００７】
本発明の請求項２に係る第２の発明は以下のように構成されている。
少なくとも一台のランドリー機器が設置されたランドリー店舗用のマネー複合処理装置と、撮像装置を備える利用者端末機と、二次元コード決済サーバーと、電子マネーカードによって構成される、ランドリー用二次元コード決済システムであって、
前記マネー複合処理装置は、
少なくとも、前記ランドリー機器の料金情報を設定するランドリー機器料金設定装置と、
前記電子マネーカードを新たに発行する電子マネーカード発行装置と、
発行された前記電子マネーカードに指定された金額情報に基づく電子マネー情報をチャージする電子マネーチャージ装置と、
前記電子マネーカード発行装置又は前記電子マネーチャージ装置と一体となって前記電子マネーカードに電子マネー情報を読書するための読書装置と、
少なくとも、前記二次元コード決済サーバーへ送信する料金情報又は金額情報を二次元コードに変換する二次元コード変換装置と、
前記二次元コードを表示する表示装置を含み、
前記利用者端末機は、
前記撮像装置によって撮像した前記二次元コードを演算可能な二次元コード演算情報に変換するコード解析装置と、
前記二次元コード演算情報を前記二次元コード決済サーバーへ送信する利用者端末機通信装置を含み、
前記二次元コード決済サーバーにおいて、前記二次元コード演算情報に基づいて、前記料金情報又は前記金額情報を支払元から支払先へ支払う決済処理を行った後、前記利用者端末機及び前記マネー複合処理装置に対し決済完了情報を送信し、
前記利用者端末機は、前記決済完了情報に基づいて決済完了表示を行い、
前記マネー複合処理装置は、前記二次元コード決済サーバーからの前記決済完了情報に基づいて、前記ランドリー機器に対し、起動信号を出力し、又は前記読書装置によって、前記金額情報を前記電子マネーカードに記録されている電子マネー情報に加算して記録する
ことを特徴とするランドリー用二次元コード決済システムである。